(57)【要約】      （修正有）【課題】人力のみにより粉挽きがなされていた石臼を、原動機を利用することにより、手短にだれにも石臼が利用できるようにする。【解決手段】上部石臼２と下部石臼３とを互いに回転させることにより粉を挽く石臼で、原動機５と上部石臼との間に駆動材４を張設し、複数個の上部石臼受けローラー１により該駆動材を押しつけながら、上部石臼を駆動するようにした。【選択図】図１
2006281188.tif 000002
【特許請求の範囲】
【請求項１】
上部石臼と下部石臼とを互いに回転させることにより粉を挽く石臼において、原動機と上部石臼との間に駆動材を張設し、複数個の上部石臼受けローラーにより該駆動材を押し付けながら上部石臼を駆動させるようにしたことを特徴とする石臼。
【発明の詳細な説明】
【技術分野】
【０００１】  この発明は、人力により石臼を回転させ粉挽きを石臼に関するもので、駆動機により回転させることにより、非力な人にも粉挽きができる簡易型石臼に係るものである。
【背景技術】
【０００２】  一般的に製麺業者や一般家庭においては、きな粉・そば粉やうどん粉を生成する場合、手動式の人力による石臼にて粉挽きがなされており、この石臼による、粉挽きは強い腕力等を必要とし、非力な人には無理であった。そのため、女性・子供にとっては粉挽き作業が重労働です。通常、手動式の石臼は第２図に示すように、上部石臼（２０）と下部石臼（３０）とをこれらの芯に形成した凸部と凹部の嵌合により回転させ、粉を挽くようにしている。なお、大豆とか小麦は上部石臼（２０）頂部に削設した穴（４０）に投入し、図示しない取手を回動することにより粉挽き作業が行われる。
【発明の開示】
【発明が解決しょうとする課題】
【０００３】  上記の場合、女性とか、幼い子供にとっては、重労働の作業で、非力な人には無理である。
本発明は、この種の問題点を解消すべくなされたもので、駆動機により上部石臼を回転させることにより、非力な人でも容易に粉挽きができる簡易型石臼を提供しようとするものである。
【課題を解決するための手段】
【０００４】  誰にでも、たやすく手軽に簡単にするために、出来るだけ単純な機構で、軽くて安全な構造であることが必要になる。簡単単純な機構であるため、機構を構成する部材の数をできるだけ少なくすることである。そのために部材に、複数の機能を持たせる事が求められる。
本発明による石臼は、上部石臼と下部石臼とを互いに回転させることにより粉を挽く石臼で、原動機と上部石臼との間に駆動材を張設し、複数個の上部石臼受けローラーにより該駆動材を押し付けながら、上部石臼を駆動させるようにしたものである。
【発明の効果】
【０００５】  以上のとおり、より簡単な構造にて人力を原動機に変え石臼をたやすく誰にでも活用させる事が可能にしたものである。
また、上部石臼受けローラーにより、駆動材をかいして、上部石臼を押し付けながら、原動機により該上部石臼を抱え込むようにして回転させているので、該上部石臼は移動する事なく、石臼の中心がずれることはない。従って、石臼のセンターに芯が必要なくなり、掃除・分解・組立等のメンテナンスが非常に簡便になった。
【発明を実施するための最良の形態】
【０００６】  本発明による石臼の実施例を図面により説明する。図１は、本発明により石臼の実施例を示す概略斜視図である。
同図において、（１）は石臼受けローラーで、該石臼受けローラー（１）は、上部石臼（２）と原動機（５）との間に張設している駆動材（４）を上部石臼（２）に押し付け、該駆動材（４）を介して上部石臼（２）をスムーズに回動させるようにしたものである。また該石臼受けローラー（１）は、複数個設けることが望ましく、多く設ける程、上部石臼（２）を安定良く回動させることができる。
尚、上部駆動材（４）は、平ベルト・Ｖベルト・丸ベルト・歯つきベルト・ローラーチェン・アタッチメント付ローラーチェン等いずれでも良く、上部石臼（２）を回動できるものであれば特に限定するものではない。
（３）は、下部石臼で、該下部石臼（３）は上部石臼（２）をより安定して回転させるため、ベース（７）に固定することが望ましい。固定することにより、上部石臼（２）は、該下部石臼（３）上で安定的に回転でき、確実に粉挽き作業が効率良く行えるものである。  （８）はジャッキで、該ジャッキ（８）は、石臼受けローラー（１）を支持する取り付けフレーム（６）と原動機（５）との間に懸架されており、このジャッキ（８）により原動機（５）と取り付けフレーム（６）との間隙を調整することにより、駆動材（４）の張力を適切に保持できるようにしたものである。
原動機（５）より駆動材（４）に回転力を伝え駆動材（４）により直接、上部石臼（２）を廻す。複数個の石臼受けローラー（１）に、駆動材（４）を支える機能も持たせる事にし、また上部石臼（２）に直接駆動材（４）を掛け、従動部材の機能を持たせる事にした。【０００７】  駆動材（４）は、上部石臼（２）の側面全面でもよく、上部のみでもよく、中部のみでも、下部のみでもよい。また、複数本を用いてもよい。【０００８】  駆動材（４）を適度に張力をかけた状態にて保ち、しかも掃除や移動のため、分解したり、再度組み立てる時、簡単に容易くできる様にするため、ジャッキ（８）を利用することで簡便さを、得ることにした。ジャッキ（８）より簡便さの得られる物であればさらによい。【０００９】  上記のとおり、部材数を最小限に押さえ、より簡単な機構にて人力を原動機に変え、石臼をたやすく誰にでも活用させる事が可能にしたものである。
【図面の簡単な説明】
【００１０】
【図１】本発明による石臼を示す概略斜視図である。
【図２】従来の石臼を示す要部拡大断面図である。
【符号の説明】
【００１１】  １    石臼受けローラー
２    上部石臼
３    下部石臼
４    駆動材
５    原動機
６    取り付けフレーム
７    ベース
８    ジャッキ
２０    上部石臼
３０    下部石臼
３１    上部石臼の凸部芯
３２    下部石臼の凹部芯
４０    削設した穴
７０    ベース
【図１】
2006281188.tif 000003
【図２】
2006281188.tif 000004
【手続補正書】
【提出日】平成17年6月28日(2005.6.28)
【手続補正１】
【補正対象書類名】明細書
【補正対象項目名】０００６
【補正方法】変更
【補正の内容】
【０００６】  本発明による石臼の実施例を図面により説明する。図１は、本発明により石臼の実施例を示す概略斜視図である。
同図において、（１）は石臼受けローラーで、該石臼受けローラー（１）は、上部石臼（２）と原動機（５）との間に張設している駆動材（４）を上部石臼（２）に押し付け、該駆動材（４）を介して上部石臼（２）をスムーズに回動させるようにしたものである。また該石臼受けローラー（１）は、複数個設けることが望ましく、多く設ける程、上部石臼（２）を安定良く回動させることができる。
尚、上記駆動材（４）は、平ベルト・Ｖベルト・丸ベルト・歯つきベルト・ローラーチェン・アタッチメント付ローラーチェン等いずれでも良く、上部石臼（２）を回動できるものであれば特に限定するものではない。
（３）は、下部石臼で、該下部石臼（３）は上部石臼（２）をより安定して回転させるため、ベース（７）に固定することが望ましい。固定することにより、上部石臼（２）は、該下部石臼（３）上で安定的に回転でき、確実に粉挽き作業が効率良く行えるものである。（８）はジャッキで、該ジャッキ（８）は、石臼受けローラー（１）を支持する取り付けフレーム（６）と原動機（５）との間に懸架されており、このジャッキ（８）により原動機（５）と取り付けフレーム（６）との間隙を調整することにより、駆動材（４）の張力を適切に保持できるようにしたものである。
原動機（５）より駆動材（４）に回転力を伝え駆動材（４）により直接、上部石臼（２）を廻す。複数個の石臼受けローラー（１）に、駆動材（４）を支える機能も持たせる事にし、また上部石臼（２）に直接駆動材（４）を掛け、従動部材の機能を持たせる事にした。